(57)【要約】【課題】着用しやすいハーネス型安全帯を提供する。【解決手段】ハーネス型安全帯では、背部側にてベルト１ａ、１ｂ及び尻当てベルト３により囲まれた五角形部分が形成されるが、その形状に合わせたメッシュ生地の背当て布１３をベルト１ａ、１ｂ及び尻当てベルト３に縫い付けて、該五角形部分のすべてを塞ぐようにしている。このように背当て布１３を設けることにより、収納時にも股掛けベルト部１０４ａ、１０４ｂが背部側の五角形部分から裏側に入り込むのを防ぐことができ、ベルトが絡んだり、捩れたりしにくいので、素早くかつ正確に着用することが可能になる。【選択図】      図１
2004321562.tif 000002
【特許請求の範囲】
【請求項１】
左右の肩掛けベルト部及び左右の股掛けベルト部を有するハーネス型安全帯であって、
背部側にてベルトにより囲まれて形成される部分のすべて或いは一部を塞ぐように背当て布を設けることを特徴とするハーネス型安全帯。
【請求項２】
上記ベルトにより囲まれて形成される部分のうち上記股掛けベルト部に近い一部を塞ぐように背当て布を設けることを特徴とする請求項１に記載のハーネス型安全帯。
【請求項３】
上記背当て布を取り外し可能としたことを特徴とする請求項１又は２に記載のハーネス型安全帯。
【請求項４】
上記背当て布にポケットを設けることを特徴とする請求項１〜３のいずれか１項に記載のハーネス型安全帯。
【請求項５】
２本のベルトを背部上方に対応する箇所で交差させるとともに、その交差部より下方で尻当てベルトの両端を上記各ベルトに縫い付け、上記２本のベルトにより左右の肩掛けベルト部及び左右の股掛けベルト部を形成するハーネス型安全帯であって、
上記尻当てベルトの上下少なくともいずれか一方の側で、上記２本のベルト及び上記尻当てベルトに対して布を設けることを特徴とするハーネス型安全帯。
【請求項６】
上記尻当てベルトの上側で、上記２本のベルト及び上記尻当てベルトにより囲まれて形成される部分のすべて或いは一部を塞ぐように背当て布を設けることを特徴とする請求項５に記載のハーネス型安全帯。
【請求項７】
上記尻当てベルトの下側で、尻当て布を設けることを特徴とする請求項５又は６に記載のハーネス型安全帯。
【発明の詳細な説明】
【０００１】
【発明の属する技術分野】
本発明は、高所作業現場等での作業の安全のために使用されるハーネス型安全帯に関する。
【０００２】
【従来の技術】
高所作業現場においては、落下による事故防止のために安全帯の着用が義務付けられている。安全帯としては、労働安全衛生法第４２条の規定に基づいて定められた安全帯の規格にある胴ベルト型が知られているが、このような安全帯では落下時に着用者の腹部或いは腰に大きな負担がかかってしまうことがある。
【０００３】
最近では、平成１４年２月２５日付厚生労働省告示第３８号の安全帯の規格に新たに規定されたハーネス型安全帯が使用されるようになっている。ハーネス型安全帯は、肩掛けベルト部や股掛けベルト部を有するものであり、着用者の身体を複数の箇所で支えるので、落下時の衝撃を分散させることができる。
【０００４】
【特許文献１】
特許第２９４９１０１号公報
【０００５】
【発明が解決しようとする課題】
ハーネス安全帯は、通常、適当に丸めてロッカーや棚等に収納されることが多い。しかしながら、肩掛けベルト部や股掛けベルト部を有することから、各ベルトが絡んだり、捩れたりしやすく、着用時にはその絡みや捩れを元に戻さなければならない。そして、どのように絡んだり、捩れたりしているかは、複数本の入り組んだベルトで構成されているため一目で認識することは難しく、ハーネス型安全帯を素早くかつ正確に着用するのが困難で、特に慣れないうちは着用に非常に時間がかかってしまう。また、ベルトを絡んだり捩れたままの状態で着用し、落下事故となった場合は、捩れ部近傍の人体に接するベルトの面積が見かけ上狭くなるので痛みを感じたり、最悪の場合、絡みや捩れが原因でベルトや縫付け部が破損・断裂したりする等して、折角の安全帯着用が無意味になってしまう場合も有り得る。
【０００６】
また、ハーネス安全帯を着用するときにもベルトが捩れてしまうことがある。特に目の届かない背部側でベルトが捩れた場合は、それに気付かないまま着用して作業に出てしまうおそれもある。
【０００７】
上記のような点に関して、特許文献１には、例えばベスト状の上着にハーネス型安全帯を具備することにより、ベストを着用するだけで自ずからハーネス型安全帯も着用することができるようにした技術が開示されている。しかしながら、特許文献１に開示されたものでは、上着が必要とされるため、大幅なコスト高となるとともに、上着を余計に１枚着用することになるので、夏場に着用者が暑苦しくなったり、動きを阻害してしまったりすることが多くなる。また、ハーネス型安全帯は長さ調節可能であるにもかかわらず、上着のサイズと着用者の身体の大きさが合わないという不都合が生じる可能性もある。
【０００８】
本発明は上記問題点に鑑みてなされたものであり、着用しやすいハーネス型安全帯を提供することを目的とする。
【０００９】
【課題を解決するための手段】
本発明のハーネス型安全帯は、左右の肩掛けベルト部及び左右の股掛けベルト部を有するハーネス型安全帯であって、背部側にてベルトにより囲まれて形成される部分のすべて或いは一部を塞ぐように背当て布を設ける点に特徴を有する。
【００１０】
また、本発明のハーネス型安全帯の他の特徴とするところは、上記ベルトにより囲まれて形成される部分のうち上記股掛けベルト部に近い一部を塞ぐように背当て布を設ける点にある。
【００１１】
また、本発明のハーネス型安全帯の他の特徴とするところは、上記背当て布を取り外し可能とした点にある。
【００１２】
また、本発明のハーネス型安全帯の他の特徴とするところは、上記背当て布にポケットを設ける点にある。
【００１３】
本発明の別のハーネス型安全帯は、２本のベルトを背部上方に対応する箇所で交差させるとともに、その交差部より下方で尻当てベルトの両端を上記各ベルトに縫い付け、上記２本のベルトにより左右の肩掛けベルト部及び左右の股掛けベルト部を形成するハーネス型安全帯であって、上記尻当てベルトの上下少なくともいずれか一方の側で、上記２本のベルト及び上記尻当てベルトに対して布を設ける点に特徴を有する。
【００１４】
また、本発明の別のハーネス型安全帯の他の特徴とするところは、上記尻当てベルトの上側で、上記２本のベルト及び上記尻当てベルトにより囲まれて形成される部分のすべて或いは一部を塞ぐように背当て布を設ける点にある。
【００１５】
また、本発明の別のハーネス型安全帯の他の特徴とするところは、上記尻当てベルトの下側で、尻当て布を設ける点にある。
【００１６】
【発明の実施の形態】
以下、図面を参照して、本発明のハーネス型安全帯の好適な実施の形態について説明する。
【００１７】
（第１の実施の形態）
図１には第１の実施の形態におけるハーネス型安全帯の全体構成を示し、図２にはその着用状態を示す。図１に示すように、２本のベルト１ａ、１ｂを背部上方に対応する箇所で交差させ、その交差部で両ベルト１ａ、１ｂが分離しないように樹脂製のバックル２を介して結合する。
【００１８】
そして、一方のベルト１ａを環状にして右側の肩掛けベルト部１０１ａを形成し、このベルト１ａを他方のベルト１ｂの一端部１０２ｂ付近に縫い付ける。同様に、他方のベルト１ｂを環状にして左側の肩掛けベルト部１０１ｂを形成し、このベルト１ｂを一方のベルト１ａの一端部１０２ａ付近に縫い付ける。
【００１９】
さらに、交差部より下方、更にはベルト１ａ、１ｂの縫い付け部分より下方において、尻当てベルト３の両端を各ベルト１ａ、１ｂに縫い付ける。
【００２０】
一方のベルト１ａの他端部１０３ａにはリング状の連結具４を設け、他方のベルト１ｂの一端部１０２ｂには連結具４と対をなすリング状の連結具５を設ける。この場合に、一方のベルト１ａの他端部１０３ａを連結具４に通して折り返し、ベルトを重ねた状態に維持するリング６を設けることにより長さ調節が可能となっている。そして、連結具４を連結具５内に入れることにより、これら連結具４、５が連結して右側の股掛けベルト部１０４ａが形成される。なお、連結具は上述の形態以外でも、連結部の外れ止めが施されたコネクタ形態のバックル等を用いることも可能である。
【００２１】
同様に、他方のベルト１ｂの他端部１０３ｂにはリング状の連結具４を設け、一方のベルト１ａの一端部１０２ａには連結具４と対をなすリング状の連結具５を設ける。この場合に、他方のベルト１ｂの他端部１０３ｂを連結具４に通して折り返し、ベルトを重ねた状態に維持するリング６を設けることにより長さ調節が可能となっている。そして、連結具４を連結具５内に入れることにより、これら連結具４、５が連結して左側の股掛けベルト部１０４ｂが形成される。
【００２２】
なお、一方の肩掛けベルト部１０１ａには長さ調節可能とした胸バンド７を縫い付け、その先端に雄コネクタ８を取り付ける。また、他方の肩掛けベルト部１１ｂには雄コネクタ８と対をなす雌コネクタ９を取り付ける。
【００２３】
また、交差部においてベルト１ａ、１ｂにはＤ環１０を設け、Ｄ環１０につなげたベルト１１の上端にもＤ環１２を設ける。このＤ環１２に図示しないランヤード等がつながれる。
【００２４】
ここで、背部側にてベルト１ａ、１ｂ及び尻当てベルト３により囲まれた五角形部分が形成されるが、その形状に合わせたメッシュ生地の背当て布１３をベルト１ａ、１ｂ及び尻当てベルト３に縫い付けて、該五角形部分のすべてを塞ぐようにしている。
【００２５】
このようにしたハーネス型安全帯を着用するときは、肩掛けベルト部１０１ａ、１０１ｂに左右の腕を通す。次に、各ベルト１ａ、１ｂの他端部１０３ａ、１０３ｂを後側から股間を介して前側に持ってきて、それぞれ連結具４を腰の横付近にある連結具５に連結することにより、股掛けベルト部１０４ａ、１０４ｂに左右の脚が通った状態となる。そして、胸前で胸ベルト７の雄コネクタ８を雌コネクタ９に結合させれば、図２に示す着用状態となる。
【００２６】
以上述べた実施の形態におけるハーネス型安全帯では、背当て布１３を設けることにより、素早くかつ正確に着用することが可能になる。即ち、ベルトが絡んだり、捩れたりする大きな要因として、特に股掛けベルト部１０４ａ、１０４ｂが背部側の五角形部分から裏側に入り込んでしまうことが挙げられるが、その五角形部分のすべてを背当て布１３で塞いでいるので、裏側に入り込むのを防ぐことができる。
【００２７】
また、背当て布１３があるので前後及び上下左右も分かりやすく、特に背当て布１３が縫い付けられている部分ではベルト１ａ、１ｂに捩れが生じることがないので、目の届かない背部側で捩れたまま着用するのを防ぐことができる。
【００２８】
また、背当て布１３を設けるだけであり、上着を用意する必要がないので、コスト高となったり、暑苦しさや動きずらさを感じたりすることもない。
【００２９】
また、収納時にはハーネス型安全帯を丸める場合に、肩掛けベルト部１０１ａ、１０１ｂや股掛けベルト部１０４ａ、１０４ｂを背当て布１３上に集めた状態で丸めることにより、背当て布１３を収納袋代わりに利用することができ、収納性や運搬性を高めることができる。この場合に、具体的には図示しないが、例えば股掛けベルト部１０４ａ、１０４ｂと背当て布１３の所定箇所とに対をなすベロクロ等を設けておけば、股掛けベルト部１０４ａ、１０４ｂを背当て布１３上に固定することができ、収納性を高めることができる。
【００３０】
また、背当て布１３にポケットを設けることができ、ポケットに工具を入れたり、高温・低温での作業時には冷却材や温熱材を入れたりすることができる。
【００３１】
なお、上記実施の形態では、背当て布１３として通気性等を考慮してメッシュ生地を用いたが、それ以外の生地を用いてもかまわない。例えば、伸縮性を有する生地を用いれば、着用者の身体（背中）の大きさや作業時の身体の動きに更によく対応することができる。
【００３２】
また、上記実施の形態では、背当て布１３をベルト１ａ、１ｂ及び尻当てベルト３に縫い付けるようにしたが、例えば図３に示すように背当て布１３の各辺に折り返し部１３０１を形成し、各折り返し部１３０１と背当て布１３の所定箇所とに対をなすベロクロ１３０２等を設けておいてもよい。このようにすれば、ベルト１ａ、１ｂや尻当てベルト３を挟み込むようにして各折り返し部１３０１を折り返し、ベロクロ１３０２同士を結合することにより、背当て布１３をハーネス型安全帯に取り外し可能に設けることができる。したがって、背当て布１３だけを取り外して洗濯等することができる。また、ベロクロ１３０２の幅に余裕を持たせておけば、着用者の身体（背中）の大きさに合わせて結合位置を調節することができる。
【００３３】
また、ベルト１ａ、１ｂや連結具４、５等の各部の材質については、それぞれの機能を維持すること（所定の強度を持たせる等）を前提として、作業環境に応じて決定すればよい。例えば、静電気等の火花や金具同士の接触による火花等の発生を嫌う作業環境で使用する場合には、一般的に知られるようにベルト１ａ、１ｂに導電性繊維を織り込んでおき、衣服等との摺れ・剥離等による帯電を防止するようにすればよい。また、連結具４、５やＤ環１０、１２等の金属部分に黄銅（真鍮）やアルミニウム等のいわゆる防爆材料を用いて、金属部分等同士が接触しても火花等が飛び散らないようにすればよい。
【００３４】
（第２の実施の形態）
図４には第２の実施の形態におけるハーネス型安全帯の全体構成を示し、図５にはその着用状態を示す。第２の実施の形態は、上記第１の実施の形態と同様に背当て布１３を設け、更に尻当てベルト３の下側で、尻当て布１４を尻当てベルト３及びベルトベルト１ａ、１ｂに縫い付けた例である。このように尻当て布１４を設けることにより、落下時に着用者の臀部から股下に加わる衝撃を分散させることができる。
【００３５】
（第３の実施の形態）
図６には第３の実施の形態におけるハーネス型安全帯の全体構成を示し、図７にはその着用状態を示す。第３の実施の形態は、背部側にてベルト１ａ、１ｂ及び尻当てベルト３に囲まれて形成される五角形部分のすべてではなく、股掛けベルト部１０４ａ、１０４ｂに近い一部だけを塞ぐように背当て布１３を設けている。
【００３６】
既述したように、ベルトが絡んだり、捩れたりする大きな要因として、特に股掛けベルト部１０４ａ、１０４ｂが背部側の五角形部分から裏側に入り込んでしまうことが挙げられる。第３の実施の形態では、その五角形部分の一部を背当て布１３で塞ぐことにより、裏側に入り込みにくくすることができるとともに、もし裏側に入り込んだとしても、背当て布１３が捩れた状態（片方の股掛けベルトだけが裏側に入り込んだとき）や上下逆の状態（両方の股掛けベルトが裏側に入り込んだとき）となるので一目で認識することができ、その絡みや捩れを簡単に元に戻すことができる。
【００３７】
（第４の実施の形態）
図８には第４の実施の形態におけるハーネス型安全帯の全体構成を示し、図９にはその着用状態を示す。第４の実施の形態は、上記第３の実施の形態と同様に背当て布１３を設け、更に尻当てベルト３の下側で、尻当て布１４を尻当てベルト３及びベルトベルト１ａ、１ｂに縫い付けた例である。このように尻当て布１４を設けることにより、落下時に着用者の臀部から股下に加わる衝撃を分散させることができる。
【００３８】
（第５の実施の形態）
図１０には第５の実施の形態におけるハーネス型安全帯の全体構成を示し、図１１にはその着用状態を示す。第５の実施の形態におけるハーネス型安全帯は上記第１〜４の実施の形態のものとは異なるタイプある。以下、上記第１〜４の実施の形態におけるハーネス型安全帯と同様の構成要素には同一の符号を付して説明する。
【００３９】
図１０に示すように、２本のベルト１ａ、１ｂを背部上方に対応する箇所で交差させ、その交差部で両ベルト１ａ、１ｂが分離しないように樹脂製のバックル２を介して結合する。
【００４０】
そして、交差部より下方において、尻当てベルト３の両端を各ベルト１ａ、１ｂに縫い付ける。
【００４１】
一方のベルト１ａの他端部１０３ａにはリング状の連結具４を設け、他方のベルト１ｂの一端部１０２ｂには連結具４と対をなすリング状の連結具５を設ける。この場合に、一方のベルト１ａの他端部１０３ａを連結具４に通して折り返し、ベルトを重ねた状態に維持するリング６を設けることにより長さ調節が可能となっている。
【００４２】
同様に、他方のベルト１ｂの他端部１０３ｂにはリング状の連結具４を設け、一方のベルト１ａの一端部１０２ａには連結具４と対をなすリング状の連結具５を設ける。この場合に、他方のベルト１ｂの他端部１０３ｂを連結具４に通して折り返し、ベルトを重ねた状態に維持するリング６を設けることにより長さ調節が可能となっている。
【００４３】
なお、胸バンド７及びコネクタ８、９を設ける点や、ベルト１ａ、１ｂにＤ環１０を設ける点等については、上記第１〜４の実施の形態におけるハーネス型安全帯と同様である。
【００４４】
ここで、背部側にてベルト１ａ、１ｂ及び尻当てベルト３により囲まれた三角形部分が形成されるが、その形状に合わせたメッシュ生地の背当て布１３をベルト１ａ、１ｂ及び尻当てベルト３に縫い付けて、該三角形部分のすべてを塞ぐようにしている。
【００４５】
このようにしたハーネス型安全帯を着用するときは、一方のベルト１ａを環状にして右の肩掛けベルト部１０１ａを形成するようにベルト１ａの他端部１０３ａを脇下から後側に持っていき、股間を介して前側に持ってきて、連結具４を腰の横付近にある連結具５に連結することにより、股掛けベルト部１０４ａに右脚が通った状態となる。同様に、他方のベルト１ｂを環状にして左の肩掛けベルト部１０１ｂを形成するようにベルト１ｂの他端部１０３ｂを脇下から後側に持っていき、股間を介して前側に持ってきて、連結具４を腰の横付近にある連結具５に連結することにより、股掛けベルト部１０４ｂに左脚が通った状態となる。
【００４６】
（第６の実施の形態）
図１２には第６の実施の形態におけるハーネス型安全帯の全体構成を示す。第６の実施の形態は、上記第５の実施の形態と同様に背当て布１３を設け、更に尻当てベルト３の下側で、尻当て布１４を尻当てベルト３及びベルトベルト１ａ、１ｂに縫い付けた例である。このように尻当て布１４を設けることにより、落下時に着用者の臀部から股下に加わる衝撃を分散させることができる。
【００４７】
（他の実施の形態）
背当て布１３を設けずに、上記第２、４、６実施の形態で説明した尻当て布１４だけを設けるだけでも、着用しやすくなるといった効果が得られる。即ち、股掛けベルト部１０４ａ、１０４ｂが背部側の五角形部分や三角形部分から裏側に入り込んだとしても、尻当て布１４が捩れた状態（片方の股掛けベルトだけが裏側に入り込んだとき）や上下逆の状態（両方の股掛けベルトが裏側に入り込んだとき）となるので一目で認識することができ、その絡みや捩れを簡単に元に戻すことができる。
【００４８】
以上、本発明を種々の実施の形態とともに説明したが、本発明はこれら実施の形態にのみ限定されるものではなく、本発明の範囲内で変更等が可能である。例えば、上記各実施の形態で説明したタイプ以外のハーネス型安全帯に本発明を適用してもかまわない。
【００４９】
【発明の効果】
以上述べたように本発明によれば、ベルトに対して布を設けるようにしたので、着用しやすいハーネス型安全帯を提供することができる。即ち、背部側にてベルトにより囲まれて形成される部分のすべてを塞ぐように背当て布を設ける場合には、その部分から股掛けベルト部が裏側に入り込むのを防ぐことができ、ベルトが絡んだり、捩れたりしにくくなる。また、背部側にてベルトにより囲まれて形成される部分の一部を塞ぐように背当て布を設けたり、尻当て布を設けたりする場合には、その部分から股掛けベルト部が裏側に入り込んだとしても、背当て布や尻当て布の状態で一目で認識することができ、その絡みや捩れを簡単に元に戻すことができる。
【図面の簡単な説明】
【図１】第１の実施の形態におけるハーネス型安全帯の正面図である。
【図２】第１の実施の形態におけるハーネス型安全帯の着用状態を示す図である。
【図３】背当て布１３の他の構成例を示す図である。
【図４】第２の実施の形態におけるハーネス型安全帯の正面図である。
【図５】第２の実施の形態におけるハーネス型安全帯の着用状態を示す図である。
【図６】第３の実施の形態におけるハーネス型安全帯の正面図である。
【図７】第３の実施の形態におけるハーネス型安全帯の着用状態を示す図である。
【図８】第４の実施の形態におけるハーネス型安全帯の正面図である。
【図９】第４の実施の形態におけるハーネス型安全帯の着用状態を示す図である。
【図１０】第５の実施の形態におけるハーネス型安全帯の正面図である。
【図１１】第５の実施の形態におけるハーネス型安全帯の着用状態を示す図である。
【図１２】第６の実施の形態におけるハーネス型安全帯の正面図である。
【符号の説明】
１ａ      ベルト
１ｂ      ベルト
２        バックル
３        尻当てベルト
４        連結具
５        連結具
６        リング
７        胸ベルト
８        雄コネクタ
９        雌コネクタ
１０      Ｄ環
１１      ベルト
１２      Ｄ環
１３      背当て布
１４      尻当て布
１０１ａ  肩掛けベルト部
１０１ｂ  肩掛けベルト部
１０４ａ  股掛けベルト部
１０４ｂ  股掛けベルト部
【図１】
2004321562.tif 000003
【図２】
2004321562.tif 000004
【図３】
2004321562.tif 000005
【図４】
2004321562.tif 000006
【図５】
2004321562.tif 000007
【図６】
2004321562.tif 000008
【図７】
2004321562.tif 000009
【図８】
2004321562.tif 000010
【図９】
2004321562.tif 000011
【図１０】
2004321562.tif 000012
【図１１】
2004321562.tif 000013
【図１２】
2004321562.tif 000014